(57)【特許請求の範囲】
【請求項１】
コイルばねの張力を、径が順次変化する螺旋状のガイド溝を備える張力変換プーリを介して架空線に付与し、架空線の張力を一定に保持する架空線用テンションバランサであって、
一端がコイルばねに連結されて張力変換プーリのガイド溝に巻回されたワイヤにより、コイルばねの張力が張力変換プーリに回転力として伝達され、この張力変換プーリに伝達された回転力を張力に変換して架空線に付与すると共に、架空線の伸縮で張力変換プーリが正逆に回動し、架空線の伸縮量を前記張力変換プーリの回転に伴う前記コイルばねの伸縮動作によって吸収する構成を備え、
この架空線の伸縮で張力変換プーリが正逆回動することで巻回されているワイヤの位置が、径の順次変化する螺旋状のガイド溝に案内されて変わることにより巻回されているワイヤの位置のプーリ径が変化し、コイルばねの張力が変化しても張力変換プーリにおいて略均一化されて出力され架空線に付与されることを特徴とする架空線用テンションバランサ。
【請求項２】
空中に架設される架空線の張力を一定に保持するための架空線用テンションバランサであって、
架空線に張力を付与するコイルばねと、
径が一定の螺旋状の第１のワイヤガイド溝を備える第１プーリ部および径が順次変化する螺旋状の第２のワイヤガイド溝を備える第２プーリ部が並列し、互いのガイド溝が螺旋方向を逆にして形成された張力変換プーリと、
前記第１プーリ部の第１のワイヤガイド溝に沿って巻回され、一端が該第１のワイヤガイド溝の一部に固定され、他端が架空線側に連結される第１のワイヤと、
前記第２プーリ部の第２のワイヤガイド溝に沿って巻回され、一端が該第２のワイヤガイド溝の一部に固定され、他端が前記コイルばねに連結されて張力が付与される第２のワイヤと、を備え、
前記架空線の伸縮量を、前記張力変換プーリの回転に伴う前記コイルばねの伸縮動作によって吸収させると共に、架空線の伸縮に伴うコイルばねの張力の変化を、架空線の伸縮で張力変換プーリが正逆回動することで巻回されている第２のワイヤの位置が、径の順次変化する螺旋状の第２のワイヤガイド溝に案内されて変わることにより、巻回されている第２のワイヤの位置のプーリ径が変化し第１のワイヤガイド溝に巻回されている第１のワイヤに略均一化して出力し架空線に付与することを特徴とする請求項１記載の架空線用テンションバランサ。
【請求項３】
前記張力変換プーリの第１プーリ部と第２プーリ部は、着脱可能に形成され、一方が他方に対し取り換え可能となっていることを特徴とする請求項２記載の架空線用テンションバランサ。
【請求項４】
前記張力変換プーリの外周には伸縮表示目盛を施したリング状の目盛板が設けられ、前記張力変換プーリを収納する枠部材上であって、前記伸縮表示目盛に対向する位置にマーキングが施されていることを特徴とする請求項１乃至３のいずれかに記載の架空線用テンションバランサ。
【請求項５】
前記第１のワイヤには伸縮表示目盛を施した伸縮表示目盛部材が取り付けられ、前記張力変換プーリを収納する前記枠部材上であって、前記伸縮表示目盛に対向する位置にはマーキングが施されていることを特徴とする請求項２または３に記載の架空線用テンションバランサ。
【発明の詳細な説明】
【技術分野】
【０００１】
本発明は、空中に架設される架空線の張力を一定に保持するための架空線用テンションバランサに関する。
【背景技術】
【０００２】
架空線、特に電車線（吊架空線・補助吊架空線・トロリ線）にあっては、温度変化による伸縮やクリープ、トロリ線の摩耗による弾性伸び、さらに経年変化による支持物の傾斜などにより、弛度張力が影響を受ける。このため、電車線の張力を一定に保持する必要があり、その張力調整を自動的に行って、メンテナンスフリー化することが要請されている。
【０００３】
このため、従来から、滑車式、ばね式、ガス式、油圧式などの各種方式による架空線用テンションバランサが提案されている。これらのうち、滑車式は、架空線に繋がった碍子を介してワイヤが滑車（プーリ）に案内され、このワイヤ端に鉄板製の錘が何枚も重ねて吊り下げられている。この錘の重量によって、架空線が弛まないように該架空線に一定の張力を付与することができる。
【０００４】
前記ばね式は、テレスコピック状に設けられた複数の筒状部材において、それぞれ内側にある筒状部材を圧縮コイルばねによって収縮方向に付勢するように構成したものである。この圧縮コイルばねの伸縮によって架空線が弛まないようにしている（例えば、特許文献１参照）。
【０００５】
ガス式は、ピストンによってシリンダ内に隔成したガス室に圧縮性のガスを封入し、ピストンロッドのシリンダ内への出入に応じてガス圧を加圧又は負圧に導いて、ピストンロッド端に連結した前記架空線が弛まないようにしている。
また、油圧式は、ピストンによってシリンダ内に膈成された２つの油室に作動油を封入し、架空線の伸縮に伴うピストンロッドの出入動作に応じて、前記作動油をバルブを通して一方の油室から他方の油室へ供給することにより、ピストンロッド端に連結された架空線が弛まないようにしている。
【特許文献１】実公昭３９−１９５３６号公報
【発明の開示】
【発明が解決しようとする課題】
【０００６】
しかしながら、前記滑車式の架空専用のテンションバランサにあっては、回転軸部のベアリングの損傷、粉塵発生による挙動不具合が発生し、また、ワイヤの断線予兆発見のための定期的なメンテナンスが不可欠である。さらに、外的要因（降雪、積雪、着氷）による影響、例えば張力のバランスが損なわれ、急勾配区間では架空線の流れを伴うなどの問題点があった。
【０００７】
本発明は、前記のような従来の問題点を解消するためになされたものであり、張力変換プーリとコイルばねとの単純な組み合わせによって、架空線の伸縮を吸収しながらこの架空線のテンションを一定に保つことができ、これを適時のメンテナンスのみで実現可能にし、さらに耐久性が優れ、外的要因による張力アンバランスの発生を回避できる架空線用のテンションバランサを得ることを目的とする。
【課題を解決するための手段】
【０００８】
前記目的を達成するため、本発明にかかる架空線用のテンションバランサは、コイルばねの張力を、径が順次変化する螺旋状のガイド溝を備える張力変換プーリを介して架空線に付与し、架空線の張力を一定に保持する架空線用テンションバランサであって、
一端がコイルばねに連結されて張力変換プーリのガイド溝に巻回されたワイヤにより、コイルばねの張力が張力変換プーリに回転力として伝達され、この張力変換プーリに伝達された回転力を張力に変換して架空線に付与すると共に、架空線の伸縮で張力変換プーリが正逆に回動すし、架空線の伸縮量を前記張力変換プーリの回転に伴う前記コイルばねの伸縮動作によって吸収する構成を備え、
この架空線の伸縮で張力変換プーリが正逆回動することで巻回されているワイヤの位置が、径の順次変化する螺旋状のガイド溝に案内されて変わることにより巻回されているワイヤの位置のプーリ径が変化し、コイルばねの張力が変化しても張力変換プーリにおいて略均一化されて出力され架空線に付与されることを特徴とする。
【０００９】
この構成によれば、張力変換プーリは、径が順次変化する螺旋状のガイド溝を備えており、一端がコイルばねに連結されているワイヤは、張力変換プーリのガイド溝に巻回されている。従って、コイルばねはワイヤを引っ張ることで張力変換プーリには回転力として伝達され、この回転力は張力に変換され架空線に付与される。架空線の伸縮量は、張力変換プーリの回転に伴うコイルばねの伸縮動で吸収するが、このコイルばねが伸縮するとコイルばねの張力は変化する。しかし、架空線の伸縮で張力変換プーリが正逆に回動することで巻回されているワイヤの位置が、径の順次変化する螺旋状のガイド溝に案内されて変わることにより巻回されているワイヤの位置のプーリ径が変化するので、これによりコイルばねの張力が変化しても張力変換プーリにおいて略均一化して架空線に付与することができる。
【００１０】
また、本発明にかかる架空線用テンションバランサは、空中に架設される架空線の張力を一定に保持するための架空線用テンションバランサであって、
架空線に張力を付与するコイルばねと、
径が一定の螺旋状の第１のワイヤガイド溝を備える第１プーリ部および径が変化する螺旋状の第２のワイヤガイド溝を備える第２プーリ部が並列し、互いのガイド溝が螺旋方向を逆にして形成された張力変換プーリと、
前記第１プーリ部の第１のワイヤガイド溝に沿って巻回され、一端が該第１のワイヤガイド溝の一部に固定され、他端が架空線側に連結される第１のワイヤと、
前記第２プーリ部の第２のワイヤガイド溝に沿って巻回され、一端が該第２のワイヤガイド溝の一部に固定され、他端が前記コイルばねに連結されて張力が付与される第２のワイヤと、を備え、
前記架空線の伸縮量を、前記張力変換プーリの回転に伴う前記コイルばねの伸縮動作によって吸収させると共に、架空線の伸縮に伴うコイルばねの張力の変化を、架空線の伸縮で張力変換プーリが正逆回動することで巻回されている第２のワイヤの位置が、径の順次変化する螺旋状の第２のワイヤガイド溝で案内されて変わることにより、巻回されている第２のワイヤの位置のプーリ径が変化し第１のワイヤガイド溝に巻回されている第１のワイヤに略均一化して出力し架空線に付与することを特徴とする。
【００１１】
この構成により、コイルばねにて張力が付与されている第２のワイヤは、第２プーリ部の第２のワイヤガイド溝に巻回されているので、コイルばねの張力は、張力変換プーリには、これを回転させる回転力として伝達され、一方、一端が架空線に連結されている第１のワイヤは、第１プーリ部の第１のワイヤガイド溝に巻回され、第１のワイヤガイド溝と第２のワイヤガイド溝は、螺旋方向（巻回方向）が互いに逆に形成されているので、コイルばねの張力が第２のワイヤを介し張力変換プーリに伝達された前記回転力は、この張力変換プーリから第１のワイヤを介し架空線には張力として伝達される。従って、架空線は、コイルばねの張力により常に一定の張力で保持されることになり、かつ、コイルばねの張力が張力変換プーリに回転力として作用しているので、架空線が伸縮するとそれに対応し張力変換プーリが正逆に回動し、第１のワイヤを巻き込んだり、巻き出したりすると共に、架空線が伸縮するとそれに対応して張力変換プーリが正逆に回動し、この回動で第２のワイヤを介しコイルばねが伸縮し架空線の伸縮量を吸収する。また、架空線が伸縮すると前記のようにコイルばねが伸縮するので、コイルばねの張力（ばね力）は変化するが、架空線が伸縮すると張力変換プーリが回動し、コイルばねに連結されている第２のワイヤが巻回されている位置が、径の順次変化する螺旋状の第２のワイヤガイド溝に案内されて変わるので、巻回されている第２のワイヤの位置のプーリ径が変化し、第１のワイヤガイド溝に巻回されている第１のワイヤからは略均一化して出力され、架空線に付与される張力は、略均一化される。即ち、コイルばねの張力が小さくなる方向に変化した時は、第２のワイヤは、張力変換プーリの回動で第２プーリ部の第２のワイヤガイド溝のプーリ径の大きい方に移動し、コイルばねの張力が大きくなる方向に変化した時は、第２のワイヤは、張力変換プーリの回動で第２プーリ部の第２のワイヤガイド溝のプーリ径の小さい方に移動する。それによってコイルばねのばね力（張力）が変化しても第１のワイヤを介し架空線に付与される張力は、略一定となる。
要するに、第２のワイヤを牽引しているコイルばねの弾発力が、架空線の伸縮に応じて第１のワイヤを第１のワイヤガイド溝に巻き込んだり巻き戻したりさせることで、前記架空線の伸縮を吸収し、この架空線のテンションを一定に保つことができると共に、この時に第２のワイヤがガイドされる第２のワイヤガイド溝のプーリ径が変化するために、コイルばねの張力が変化しても架空線には略一定の張力として付与することができる。
【００１２】
また、本発明にかかる架空線用テンションバランサの張力変換プーリは、第１プーリ部と第２プーリ部とが着脱可能に形成され、一方が他方に対し取り換え可能となっていることを特徴とする。
この構成により、第１プーリ部および／または第２プーリ部を、他の径の異なるものと取り換えることが可能となり、コイルばねのばね力（張力）が同じものであっても、架空線に付与する張力を変えることが可能となる。従って、コイルばねを変えることなく架空線の種類に応じた対応が可能となる。
【００１３】
また、本発明にかかる架空線用のテンションバランサは、前記張力変換プーリの外周に伸縮表示目盛を施したリング状の目盛板が設けられ、前記張力変換プーリを収納する枠部材上であって、前記伸縮表示目盛に対向する位置にマーキングが施されていることを特徴とする。
この構成により、マーキングが指示する張力表示目盛からプーリの回転に伴うワイヤの移動量を、つまり架空線の伸縮量をプーリの外周側で簡単に確認することができる。
【００１４】
また、本発明にかかる架空線用のテンションバランサは、前記第１のワイヤには伸縮表示目盛を施した伸縮表示目盛部材が取り付けられ、前記張力変換プーリを収納する前記枠部材上であって、前記伸縮表示目盛に対向する位置にはマーキングが施されていることを特徴とする。
この構成により、マーキングが指示する張力表示目盛から、架空線の伸縮に伴う第１のワイヤの移動量を、枠部材の上部や下部において簡単に確認することができる。
【発明の効果】
【００１５】
本発明の架空線用テンションバランサによれば、次のような効果を奏する。
（１）張力変換プーリとコイルばねの単純な組み合わせによって、架空線の伸縮を吸収しながらこの架空線のテンションを一定に保つことができ、これを適時のメンテナンスのみで実現可能にする。
（２）コイルばねを使用し、架空線の伸縮に対応してコイルばねの張力（ばね力）が変化しても、架空線には略一定の張力として付与することができる。
（３）架空線に張力を付与するコイルばねのばね力（張力）が同じものであっても、張力変換プーリの第１プーリ部又は第２プーリ部を他の径の異なるものと取り換えて、架空線に付与する張力を変えることができる。従って、コイルばねを変えることなく架空線の種類に応じ対応が可能となる。
（４）架空線の伸縮量が容易に確認できる。
（５）また、耐久性が優れ、外的要因による張力アンバランスの発生を回避できる。
【発明を実施するための最良の形態】
【００１６】
以下、本発明の実施の形態を、図面を参照して説明する。
本発明の実施の形態による架空線用テンションバランサは、基本的に、径が一定の螺旋状の第１のワイヤガイド溝を備える第１プーリ部および径が変化する螺旋状の第２のワイヤガイド溝を備える第２プーリ部が並列し、互いのガイド溝が螺旋方向を逆にして形成されている張力変換プーリを有する。また、前記第１のワイヤガイド溝に沿って巻回され、一端が該第１のワイヤガイド溝の一部に固定され、他端が架空線側に連結される第１のワイヤと、前記第２のワイヤガイド溝に沿って巻回され、一端が該第２のワイヤガイド溝の一部に固定され、他端が軸方向移動部材に取り付けられた第２のワイヤとを備える。そして、前記軸方向移動部材をコイルばねにより前記第２のワイヤの前記一端側とは反対方向に付勢し、前記架空線の伸縮量を、前記張力変換プーリの回転に伴う前記コイルばねの伸縮動作によって吸収させるという構成である。
【００１７】
これにより第２のワイヤを牽引しているコイルばねの弾発力が、架空線の伸縮に応じて第１のワイヤを第１のワイヤガイド溝に巻き込んだり巻き戻したりさせることで、前記架空線の伸縮を吸収し、この架空線のテンションを一定に保つことができると共に、この時に第２のワイヤがガイドされる第２のワイヤガイド溝のプーリ径が変化するために、コイルばねの張力が変化しても架空線には略一定の張力として付与することができる。
【００１８】
図１は、本実施の形態による架空線用テンションバランサを示す斜視図、図２は、本実施の形態による架空線用テンションバランサを示す縦断正面図、図３は、本実施の形態による架空線用テンションバランサを示す分解斜視図、図４は、図１における張力変換プーリを一部破断して示す正面図（ａ）（ｂ）である。
【００１９】
この実施の形態による架空線用テンションバランサは、コ字状の枠部材１内に取り付けられた張力変換プーリ２と、筒状部材３内に設置されたコイルばね４とを主要な構成部としている。これらのうち、張力変換プーリ２は、図４に示すように、枠部材１内に水平に架設された軸５を中心に回転自在に取り付けられている。
【００２０】
また、前記張力変換プーリ２は、図４（ｂ）に示すように外周に径が等しい第１のワイヤガイド溝６を備える第１プーリ部２ａおよび径が変化する第２のワイヤガイド溝７を備える第２プーリ部２ｂが、並列して設けられ、互いのガイド溝６、７は渦巻き方向（巻回方向）が互いに逆になるように形成されている。第１のワイヤガイド溝６の一部、図では張力変換プーリ２の右端部に近い部分には、その第１のワイヤガイド溝６に沿って巻き付けられるワイヤ１０の一端を係止する係止穴８が設けられている。
【００２１】
また、第２のワイヤガイド溝７の一部には、これに沿って巻きつけるワイヤ１１の一端を係止する係止穴９が設けられている。なお、前記ワイヤ１０、１１の一端には、止め具１２、１３がカシメ固定されており、各止め具１２、１３が前記係止穴８、９にそれぞれ嵌合し、かつ抜け止めされている。
【００２２】
前記張力変換プーリ２の近傍には、枠部材１に水平に架設された軸１４を中心に自由回転するガイドプーリ１５が取り付けられている。このガイドプーリ１５は、第２のワイヤ１１の振れ止め機能とばね挙動の安定化を図るガイド機能を持つ。
一方、コイルばね４は、筒状部材３内に軸方向移動自在に収納され、負荷時の回転を抑制するために、巻き方向（旋回方向）が交互に逆になる２つのコイルばね４ａ、４ｂを可動ばね受け部材１６を介して配置した構成とされている。
【００２３】
可動ばね受け部材１６は全体として筒状をなし、外周には、コイルばね４ａ、４ｂの端部をそれぞれ支承する段付きばね座１６ａ、１６ｂが設けられている。ここで、段付きばね座１６ａ、１６ｂは、各ばね４ａ、４ｂが筒状部材３の内周に干渉することがない深さとすることが必要である。これにより、前記干渉が生じた場合におけるばね特性のヒステリシスの発生を低減することができ、また、ばねの挙動が安定化する。
【００２４】
前記筒状部材３の左端部内周には、図３に示すような円板状のキャップ１７が嵌め込まれ、筒状部材３に形成された４個の孔１８に、略コ字状をなす止め具１９の２本の止め片１９ａが、図１および図２に示すように、挿通されている。これにより、キャップ１７の筒状部材３外への抜け止めがなされている。また、各止め片１９ａの先端部にはピン２０が通されて、止め片１９ａの各孔１８からの抜け止めが図られている。ピン２０端には更に割りピンが挿し込まれている。
【００２５】
キャップ１７の中心部には、内側から外側にコ字状の外部取り付け部材が抜け止め状態にて挿入されている。この外部取り付け部材２１は、図示しない支柱側の固定具に連結される。筒状部材３の右端部内周には、リング板２２が嵌め込まれており、このリング板２２に第２のコイルばね４ｂの他端部（右端部）が支持されている。
【００２６】
前記キャップ１７と第１のスプリング４ａとの間には、この第１のスプリング４ａの他端部（左端部）を支持する円板２３が、筒状部材３内周に対し軸方向摺動自在に設けられている。円板２３の中央部には、この円板２３の左側面から第２のワイヤ１１側に突出するように、略コ字状のワイヤ止め部材２４が挿し込まれている。なお、前記リング板２２および円板２３の外周部を、可動ばね受け部材１６に設けられたものと同様の段付きのばね座を設けることは任意である。
【００２７】
このワイヤ止め部材２４の突出端には、前記第２のワイヤ１１の他端（右端）を保持するワイヤ保持ピン２５が取り付けられている。このワイヤ保持ピン２５は、図３に示すように、ネジ部材２５ａの先端にナット２５ｂを嵌合する形式とされている。
【００２８】
前記第１のワイヤ１０は、前述のように、一端の止め具１２が張力変換プーリ２の係止穴８内に係止され、他端部はリング孔Ｈを作るように曲げられて、図１に示すように、カラー２６によりカシメられる。なお、図示しないが、このリング孔Ｈには，架空線に絶縁碍子を介して接続されたワイヤ端が結着される。
【００２９】
第２のワイヤ１１は、第１のワイヤ１０と同様の構成であり、一端の止め具１３が係止穴９内に係止され、図２に示すように、他端部はリング孔Ｈを作るように曲げて、カラー２６によりカシメられている。なお、図示しないが、このリング孔Ｈは、前記円板２３側のワイヤ保持ピン２５に対し挿し込むようにして係止されている。
これにより、第１のワイヤ１０、プーリ２、第２のワイヤ１１、リング孔Ｈおよびワイヤ保持ピン２５を順次介して入力される架空線の伸縮を、コイルばね４の弾発力により吸収させることができる。
【００３０】
なお、前記プーリ２およびガイドプーリ１５を支持する軸５、１４の両端は、それぞれ枠部材１の側部に設けられた貫通孔２８に、水平状態にて貫通支持されている。各軸５、１４の貫通端にＥリング２７が嵌め込まれて、枠部材１から脱抜不可能になっている。
【００３１】
また、前記プーリ２の右端面には図３に示すようにプリセット用ボルト孔２９が穿設されされている。このプリセット用ボルト孔２９に、枠部材１の側面に形成されたねじ孔３０を通してねじ込まれたプリセット用ボルト３１の先端を係合可能にしている。
これにより張力変換プーリ２に第２のワイヤを介して伝達されるコイルばね４の張力を所定の状態としてセットすることができる。即ち、所定の張力を付与した状態でプリセット用ボルト３１で張力変換プーリ２の回転を阻止してセットし、取付けた後にこのプリセット用ボルト３１を取り外すことで、コイルばねの所定の張力を付与した状態で取付けることが容易に可能となる。
【００３２】
前記プーリ２の右端部外周には、図５に示すように、架空線の伸縮量表示目盛３２を表示したリング状の目盛板３３がネジ３４を用いて取り付けられる。そして、枠部材１の下部であって、前記目盛板３３に対向する位置に、透視窓３５とマーキング３６を持つマーキング部材３７が取り付けられている。この透視窓３５を通してマーキング３６に一致する前記目盛板３３上の目盛を読み取ることで、架空線の伸縮量を容易に確認することができる。
【００３３】
なお、架空線の伸縮量を読み取る他の構成例として、例えば図６に示すものが考えられる。これは、枠部材１の開口端に、前記第１のワイヤ１０のガイド孔３８を持つ支持板３９を取り付け、この支持板３９の外側に位置する第１のワイヤ１０上に、２つのプリセットピース４０、４０によってＬ字状のスライド式目盛板４１を挟むように固定したものからなる。なお、ガイド孔３８は、支持板３９およびこれにネジ固定された補助指示板３９Ａ上の各一の切欠き３８ａ、３８ｂを合わせて形成される。
【００３４】
スライド式目盛板４１のうち、水平片４１ａには上面または下面に架空線の伸縮量表示目盛４２が施されている。また、枠部材１の下部には、図７に示す板状のガイド部材４３が取り付けられており、このガイド部材４３に前記水平片４１ａを摺動自在にガイドするガイド孔４４が設けられている。
そして、ガイド部材４３の一方の端縁付近に、水平片４１ａ上の目盛４２を指示するためのマーキング４５が施されている。
【００３５】
このような構成の架空線用のテンションバランサは、架空線と支柱との間に介在されるように設置される。すなわち、第１のワイヤ１０端のリング孔Ｈには、図示しないワイヤや碍子などを介して架空線に連結され、一方、筒状部材３端の外部取り付け部材２１が図示しない支柱（架空線柱）に取り付けられた取り付け具やワイヤに連結される。
【００３６】
ここで、温度変化により架空線が伸縮した場合には、この伸縮を吸収するようにコイルばね４が伸縮して、架空線の張力を一定に保つように機能する。例えば、冬季において、架空線が収縮した場合には、この収縮によって第１のワイヤ１０の一端を固定している張力変換プーリ２が、図１において軸５を中心に時計方向に極めてゆっくり回転する。
【００３７】
この回転によって、一端が同じく張力変換プーリ２に固定されている第２のワイヤ１１は、この第２のワイヤガイド溝７に巻き込まれ、その他端がワイヤ止め部材２４およびワイヤ支持ピン２５を介して円板２３を、図２において、右方へ引き込む。これにより、コイルばね４ａ、４ｂは圧縮されて前記架空線の縮み量を吸収し、架空線の張力を所定値に維持することができる。一方、夏季に架空線が伸長する場合には、前記とは逆の動作となる。
【００３８】
この場合において、第２のワイヤガイド溝７は径が変化する螺旋溝である。従って、架空線の伸縮で張力変換プーリ２が正逆に回動すると、コイルばね４に連結している第２のワイヤ１１が巻回されている位置が、径の順次変化する螺旋状の第２のワイヤガイド溝７に案内されて変わるので、巻回されている第２のワイヤ１１の位置のプーリ径が大小に変わることにより、第１のワイヤガイド溝６に巻回されている第１のワイヤ１０からは略均一化して出力され、架空線にはコイルばね４の張力が変化しても常に均一化して付与することができる。このように、このワイヤガイド溝７は、架空線の張力変化率を最小限に抑えるように機能し、プーリ径比にもよるが、例えば理論値で３％以下に抑えることができる。なお、本張力変換プーリの構造上、張力変換プーリ２の回転角０度、１８０度。３６０度において張力を一定にすることができる。なお、回転角が９０度、２７０度では、プーリ径の位相差を伴うため、張力は多少上昇するように変化する。
【００３９】
なお、コイルばね４と張力変換プーリ２との連鎖は、第２のワイヤ１１を基本とするが、張力変換プーリ２にギヤーを具備させて、これにチェーンを張架する形式とすることも任意である。また、前記では、第２のワイヤガイド溝７を螺旋形としたが、実用上は、同一径としても架空線の張力制御が実質上可能である。
【００４０】
以上のように、本実施の形態にあっては、渦巻き方向が互いに逆で、径が一定の第１のワイヤガイド溝６および径が変化する第２のワイヤガイド溝７が外周に形成された張力変換プーリ２と、第１のワイヤガイド溝６に沿って巻回され、一端が第１のワイヤガイド溝６の一部に固定され、他端が架空線側に連結される第１のワイヤ１０と、第２のワイヤガイド溝７に沿って巻回され、一端が第２のワイヤガイド溝７の一部に固定され、他端が軸方向移動部材２３に取り付けられた第２のワイヤ１１と、前記軸方向移動部材２３を第２のワイヤ１１の前記一端側とは反対方向に付勢するコイルばね４と、を備え、前記架空線の伸縮量を、前記張力変換プーリ２の回転に伴うコイルばね４の伸縮動作によって吸収させるようにしたことで、第２のワイヤ１１を牽引しているコイルばね４の弾発力が、架空線の伸縮に応じて第１のワイヤ１０を第１のワイヤガイド溝６に巻き込んだり巻き戻したりさせることで、前記架空線の伸縮を吸収し、この架空線の張力を略一定に保つことができる。
この時、架空線の伸縮による張力変換プーリ２の回動で、第２のワイヤ１１が巻回されている位置が移動し、その位置により第２のワイヤガイド溝７のプーリ径が変化するため、コイルばね４の張力が変化しても、架空線には略一定の張力として付与することができる。
【００４１】
図８は、張力変換プーリの他の実施の形態を示す断面図で、（ａ）が嵌合して一体化した状態を示し、（ｂ）が分離した状態を示す。
この実施の形態は、張力変換プーリ２を構成する第１プーリ部２ａと第２プーリ部２ｂとが着脱可能に形成されているものである。本例では、第１プーリ部２ａの第２プーリ部２ｂとの接面に、断面非円形の凸部４７を突設し、第２プーリ部２ｂの第１プーリ部２ａとの接面に、前記凸部４７に対応する非円形の穴４６を設け、凸部４７を穴４６に嵌入することによって着脱可能とした構成を示している。他は前記実施の構成と同様であるので、同一構成要素には同一符号を付して他の詳細な説明は省略する。
図９は、図８の変形例を示す斜視図である。本例は、凸部４７が複数あり、穴４６もこれに対応して複数が存在する場合である。本例では凸部４７および穴４６が複数存在するため、断面形状は円形でもよい。他は前記実施の形態と同様である。
この第１プーリ部２ａと第２プーリ部２ｂとを着脱可能とする構成は、前記実施の形態に制限されるものではなく、他の従来公知の手段も採用できることはいうまでもない。
なお、図８および図９において符号４８は、軸５への挿入孔であり、張力変換プーリ２は、軸５に対し回転自在に取付けてもよいし、軸５には固定して取付け、軸５を回転自在としてもよい。この軸５の軸受部やプーリ２の回転部には、ベアリングを設けたり、摩擦を低減する皮膜を形成したりするのが、円滑な回転が可能となり摩耗を防止できるので好ましい。
【００４２】
このように張力変換プーリ２の第１プーリ部２ａと第２プーリ部２ｂとを着脱可能とすると、前記作用、効果の他に例えば、第１プーリ部２ａを径の異なるもとの取り換えることで、コイルばね４のばね力（張力）が同じものでも、張力変換プーリ２から出力する張力を変えることが可能となる。例えば、第２プーリ部２ｂは同じで第１プーリ部２ａを径の異なるものと取り換えることで、第１プーリ部２ａからの張力の出力は変化できる。第１プーリ部２ａの径が大きくなれば、第１プーリ部２ａからの張力の出力は大きくなり（標準張力は小さくなり）、第１プーリ部２ａの径が小さくなれば、第１プーリ部２ａからの張力の出力は小さくなる（標準張力は大きくなる）。従って、架空線によって標準張力が異なっても、標準張力毎にコイルばねを変えることなく、第１プーリ部２ａを取り換えることによって対応できる。
【産業上の利用可能性】
【００４３】
本発明の架空線用テンションバランサは、架空線の伸縮を吸収しながらこの架空線のテンションを一定に保つことができ、これを適時のメンテナンスのみで実現可能にするという効果を有し、空中に架設される架空線の張力を一定に保持するための架空線用テンションバランサ等に有用である。
【図面の簡単な説明】
【００４４】
【図１】本発明の実施の形態による架空線用テンションバランサを示す斜視図である。
【図２】本発明の実施の形態による架空線用テンションバランサを示す斜視図である。
【図３】本発明の実施の形態による架空線用テンションバランサを示す正面断面図である。
【図４】図１における張力変換プーリを一部破断して示す正面図（ａ）および（ａ）より第１のワイヤ及び第２のワイヤを取り外した状態の張力変換プーリの正面図（ｂ）である。
【図５】本実施の形態における架空線の伸縮量を表示する伸縮量表示部の分解斜視図である。
【図６】本実施の形態における架空線の伸縮量を表示する他の伸縮量表示部の分解斜視図である。
【図７】図６における伸縮量表示部の要部を示す斜視図である。
【図８】張力変換プーリの他の実施の形態を示す断面図で、（ａ）が嵌合して一体化した状態を示し、（ｂ）が分離した状態を示す。
【図９】図８の変形例を示す斜視図である。
【符号の説明】
【００４５】
１  枠部材
２  張力変換プーリ
２ａ  第１プーリ部
２ｂ  第２プーリ部
３  筒状部材
４  コイルばね
５  軸
６  第１のワイヤガイド溝
７  第２のワイヤガイド溝
８、９  係止穴
１０  第１のワイヤ
１１  第２のワイヤ
１２、１３  止め具
１４  軸
１５  ガイドプーリ
１６  可動ばね受け部材
２１  外部取り付け部材
２３  円板
２４  ワイヤ止め部材
２５  ワイヤ支持ピン
２６  カラー
３１  プリセットボルト
３２  伸縮量表示目盛
３３  目盛板
３５  透視窓
３６  マーキング
３７  マーキング部材
３８  ガイド孔
３９  支持板
４０  プリセットピース
４１  目盛板
４２  伸縮量表示目盛
４６  穴
４７  凸部
【図１】
0004462634.tif 000002
【図２】
0004462634.tif 000003
【図３】
0004462634.tif 000004
【図４】
0004462634.tif 000005
【図５】
0004462634.tif 000006
【図６】
0004462634.tif 000007
【図７】
0004462634.tif 000008
【図８】
0004462634.tif 000009
【図９】
0004462634.tif 000010